(57)【要約】【課題】マンガン酸化細菌を用いて排水中に含まれるマンガンを酸化して除去する方法を提供する。【解決手段】マンガンを含む排水からマンガン酸化細菌によりマンガンを除去する方法であって、９０以上の分子量をもつアミノ酸と、グルコースを添加する。アミノ酸の添加量は、排水中のマンガンのモル濃度の１．６倍〜２．２倍のモル濃度となる量であり、グルコースの添加量は、排水中のマンガンのモル濃度の０．２倍〜０．６倍のモル濃度となる量が好ましい。マンガン酸化細菌を増殖させると共に細胞構成成分としての炭素源およびエネルギー源を供給すれば、多大なアルカリを投入することなく、マンガン酸化細菌によってマンガンを十分に酸化させて、これを沈殿させて除去することができる。【選択図】図１
2018086643.tif 000002
【特許請求の範囲】
【請求項１】
マンガンを含む排水からマンガン酸化細菌によりマンガンを除去する方法であって、９０以上の分子量をもつアミノ酸と、グルコースを添加する
ことを特徴とする排水からのマンガンの除去方法。
【請求項２】
前記アミノ酸の添加量が、排水中のマンガンのモル濃度の１．６倍〜２．２倍のモル濃度となる量である
ことを特徴とする請求項１記載の排水からのマンガンの除去方法。
【請求項３】
前記グルコースの添加量が、排水中のマンガンのモル濃度の０．２倍〜０．６倍のモル濃度となる量である
ことを特徴とする請求項１記載の排水からのマンガンの除去方法。
【請求項４】
予備工程として、マンガンを含む排水に予めアルカリを添加してｐＨを調整し、マンガン濃度を６５ｍｇ／Ｌ以下に低減しておき、該予備工程で得られた排水を上記請求項１記載の処理に供する
ことを特徴とする排水からのマンガンの除去方法。
【発明の詳細な説明】
【技術分野】
【０００１】
本発明は、マンガンを含有する排水からのマンガンの除去方法に関する。さらに詳しくは、ニッケル酸化鉱を原料とする湿式製錬プロセスにおける、マンガンを含有する排水を処理する方法に関する。
【背景技術】
【０００２】
ニッケル酸化鉱を原料とする湿式製錬プロセスにおいては、特許文献１に示すような操業が行われる。すなわち、ニッケル酸化鉱石に硫酸などの酸を加えてニッケルなどの有価物を浸出し、得た硫酸酸性の浸出液にアルカリを添加して含有された鉄、アルミニウム、マンガン、マグネシウム、カルシウムなどの不純物の大部分を中和物として分離し、次いで中和後の液に硫化剤を添加してニッケルなどの有価物を硫化物として分離し回収する。
【０００３】
このプロセスを用いた場合、硫化後の硫酸酸性を呈する排水（「硫化後液」あるいは単に「貧液」とも呼ばれる）の一部は、浸出工程などの系内に繰り返して利用されるものの、大部分は排水処理工程に送り、アルカリを添加して残留する酸を中和し、同時に含有する不純物等を除去し、その後海域等に放出する処理が行われる。
【０００４】
前記の排水処理工程において、除去する必要がある不純物としては、浮遊粒子として存在する鉄や、イオンとして溶解しているアルミニウムやマンガンがある。
【０００５】
上記の不純物の中で、鉄は、排水をシックナー等に送ることで浮遊粒子を沈降させて分離し、更にテーリングダム等を通過させることで実用上完全に沈降させ、さらに必要に応じてフィルタープレスなどの濾過手段を併用することで排水から除去できる。アルミニウムについては、アルカリを添加して、ｐＨを比較的低く維持することで中和され、水酸化物の澱物として排水から除去できる。
【０００６】
ところが、マンガンについては、排水中に溶解した状態で存在するため、排水にアルカリなどを添加して調整するｐＨが９を上回るアルカリ領域にまで調整しなければ、マンガンの澱物を生成させることはできない。このため、前述の排水からマンガンを除去するには、きわめて手間とコストがかかるという問題があった。
また、ｐＨを上げるためにアルカリを添加した場合、ｐＨが９を超えると、排水中に上述した不純物とともに含有されるマグネシウムが、マンガンよりも先に水酸化物を形成するという問題もあった。
【０００７】
ところで、マグネシウムは、特段の排水基準もなく環境への影響もないので、排水からの除去が不要であるが、マンガンを除去するために添加したアルカリがマグネシウム水酸化物の生成に消費されるため、目的のマンガンを水酸化するのに必要な量以上のアルカリが必要となり、余計なコストがかかる。さらにマグネシウムが澱物化されることから発生する物量が増加するなど好ましくない。
【０００８】
そこで、マンガンとマグネシウム両方の澱物が生成するｐＨ９まで排水のｐＨを上げずに、マグネシウムの澱物が生成せずに、少量のマンガンが水溶液として残るｐＨ８．６以下に排水のｐＨを調整し、そのｐＨの差だけアルカリの添加量を下げる操作が行われてきた（特許文献２参照）。
【０００９】
この方法では、排水に残留する低濃度のマンガンについては、排水を積極的に酸化させて除去するので、澱物の増加が防げ、アルカリのコストを低減する効果がある。しかし取り扱う酸化剤の量や反応に要する設備などの点でコストがかかる課題があった。
【００１０】
とくに、工業的なニッケル酸化鉱の湿式処理では、せいぜい１〜２％かそれ以下の品位のニッケルを分離して回収するために、膨大な量の鉱石を処理することが多い。このため発生する排水量も膨大な量になる。さらに前述のようにニッケル等の有価物を還元雰囲気下で析出させて回収した後の排水を処理するため、マンガンを酸化して除去するため還元雰囲気から酸化雰囲気まで変化させなければならず、短時間で処理を進めるためには、次亜塩素酸ソーダや、オゾンなどの強力な酸化剤を大量に付与しなければならない。このため、酸化剤のコストが必要となるという問題があった。
【００１１】
そこで、酸化に要するコストと手間を省く方法として、マンガン酸化細菌を用いた処理方法が試みられてきた。
マンガン酸化細菌を利用してマンガンを除去するには、一定量のマンガン酸化細菌を増殖し、増殖したマンガン酸化細菌がマンガンを酸化して沈殿させ、澱物を形成する除去能力を高めなければならない。
【００１２】
特に前述するようにニッケル酸化鉱石の湿式製錬方法では、大量の排水を取り扱う場合があり、このような環境下でマンガン酸化細菌を効果的に増殖させ利用に適することは難しく、より確実に排水処理に適用する方法が望まれていた。
【先行技術文献】
【特許文献】
【００１３】
【特許文献１】特開２００５−３５０７６６号公報
【特許文献２】特開２０１０−２０７６７４号公報
【発明の概要】
【発明が解決しようとする課題】
【００１４】
本発明は、上記事情に鑑み、マンガン酸化細菌を用いて排水中に含まれるマンガンを酸化して除去する方法を提供することを目的とする。
【課題を解決するための手段】
【００１５】
第１発明の排水からのマンガンの除去方法は、マンガンを含む排水からマンガン酸化細菌によりマンガンを除去する方法であって、９０以上の分子量をもつアミノ酸と、グルコースを添加することを特徴とする。
第２発明の排水からのマンガンの除去方法は、第１発明において、前記アミノ酸の添加量が、排水中のマンガンのモル濃度の１．６倍〜２．２倍のモル濃度となる量であることを特徴とする。
第３発明の排水からのマンガンの除去方法は、第１発明において、前記グルコースの添加量が、排水中のマンガンのモル濃度の０．２倍〜０．６倍のモル濃度となる量であることを特徴とする。
第４発明の排水からのマンガンの除去方法は、予備工程として、マンガンを含む排水に予めアルカリを添加してｐＨを調整し、マンガン濃度を６５ｍｇ／Ｌ以下に低減しておき、該予備工程で得られた排水を上記請求項１記載の処理に供することを特徴とする。
【発明の効果】
【００１６】
第１発明によれば、マンガン酸化細菌を増殖させると共に細胞構成成分としての炭素源およびエネルギー源を供給することで、多大なアルカリを投入することなく、マンガン酸化細菌によってマンガンを十分に酸化させて、これを沈殿させて除去することができる。
第２発明によれば、アミノ酸分子量が好適な範囲なので、マンガン酸化能力が低すぎることもなく、過剰なアミノ酸により雑菌が増殖することもなく、マンガンを低減させることができる。
第３発明によれば、グルコース添加量が好適な範囲なので、マンガン酸化細菌の活動が弱くなることもなく、過剰のグルコースによって雑菌が増殖することもなく、マンガンを低減させることができる。
第４発明によれば、予備工程において、マンガン濃度を下げておくので過剰なアルカリ添加を必要とせず、反応時間も短くできるので、コスト的および設備的に有利となる。
【図面の簡単な説明】
【００１７】
【図１】本発明に係るマンガン除去方法の説明図である。
【図２】添加アミノ酸分子量とマンガン除去濃度の関係を示すグラフである。
【図３】アミノ酸添加量とマンガン除去濃度の関係を示すグラフである。
【図４】グルコース量とマンガン除去濃度の関係を示すグラフである。
【発明を実施するための形態】
【００１８】
（本発明の技術原理）
本発明に係る排水からのマンガンの除去方法は、マンガンを含む排水からマンガン酸化細菌によりマンガンを除去する方法であって、９０以上の分子量をもつアミノ酸と、グルコースを添加して行う。グルコースを添加する目的は増殖したマンガン酸化細菌に細胞構成成分としての炭素源およびエネルギー源を供給するためであり、アミノ酸を添加する目的は、炭素源・エネルギー源、また、その他窒素源などの微量栄養元素を供給するためである。
マンガン酸化細菌を増殖させると共に細胞構成成分としての炭素源およびエネルギー源を供給すれば、多大なアルカリを投入することなく、マンガン酸化細菌によってマンガンを十分に酸化させて、これを沈殿させて除去することができる。このマンガン除去効果は強力なので、ｐＨ９未満となる低いｐＨ領域の排水であってもマンガン除去は可能である。
【００１９】
（マンガン酸化細菌）
マンガン酸化細菌は、排水中に含まれている例が多いが、含まれていなかったり、極く微量の場合は、予め保存しておいたマンガン酸化細菌を排水中に添加する。
【００２０】
マンガン酸化細菌にはさまざまな種類のものが知られているが、単一の菌種だけで酸化させるよりも実際の排水処理場所などマンガン酸化細菌が自然に繁殖している場所から採取した菌を一括して取り扱うことがコストも抑えられ、工業的には実用的である。しかしながら、現場で採取した様々な菌種をまとめて取扱うような場合、有用なマンガン酸化細菌の他にも様々な無役のいわゆる雑菌も含まれている。
既述のように、多種多様な菌種があるマンガン酸化細菌を、精密に分析して菌種を特定したり、あるいは特定の菌のみを増殖させたりすることは一般に困難である。そのため、本発明では、同一条件で採取し培養した菌種をまとめて扱い、様々な菌種が全体としてマンガンを除去することに利用する。このため、本明細書では、マンガンを酸化する能力がある細菌を一括して「マンガン酸化細菌」と定義し、マンガンの酸化に関与しない細菌を「雑菌」と定義する。
また、本発明では後述するようにフィリピン国パラワン島で操業する製錬所の排水処理設備の排水路配管から採取したマンガン酸化細菌を培養して試験に付したが、特定の産出地に限定されるものではない。
【００２１】
（本発明の適用対象となる排水）
本発明によるマンガン除去は、マンガン濃度が概ね６０ｍｇ／Ｌとなる排水を対象とし、それ以下にマンガン濃度を低減させる場合に好適である。
【００２２】
上記マンガン濃度を対象とする理由は、下記（１）、（２）のとおりである。
（１）アルカリを添加してｐＨを上昇させる従来からのマンガン除去方法を用いた場合、ｐＨが９未満となる領域であっても排水のマンガン濃度は概ね６０ｍｇ／Ｌまでは低減できるが、さらにマンガンを低減しようとする場合には当量を上回る過剰量のアルカリ添加や過大な反応時間が必要となる。このため、マンガン濃度が６５ｍｇ／Ｌ以下、好ましくは６０ｍｇ／Ｌ程度になるように中和した後、この中和後の排水に対してマンガン酸化細菌を利用した処理を行ってマンガン濃度を１ｍｇ／Ｌ以下まで低減するのが、コスト的にまた設備的にも有利である。
【００２３】
（２）過剰の中和剤を使用した場合、排水中のｐＨが上がりすぎ、マンガンを除去した後の排水を放流するために再度酸を添加して放流に適したｐＨに調整する必要があるなど手間とコストを要する。
【００２４】
（マンガン除去能力を保持するための条件）
以下に本発明によるマンガン酸化細菌を用いたマンガン除去方法を実施するに当って、必要とされるマンガン除去能力を保持するための条件を説明する。
【００２５】
供試液として、ニッケル酸化鉱の湿式製錬する現場の排水処理工程において採取したマンガン酸化細菌を含んだ培養液を用意した。排水処理工程では前述のようにマンガンが含有されるため、これに適応した細菌が適量存在することが多い。
【００２６】
（アミノ酸）
添加するアミノ酸の役割は、炭素源・エネルギー源、また、その他窒素源などの栄養源となってマンガン酸化細菌の増殖を助けるところにある。
上記培養液に、低濃度のマンガン及びそのマンガン量に対して０．０１倍から５倍までの間のモル量の分子量１００以上のアミノ酸を加えて供試の水溶液とした。
【００２７】
アミノ酸には、例えばセリン（分子量１０５．１）、ロイシン（分子量１３１．２）、アスパラギン酸（分子量１３３．１）、グルタミン酸（分子量１４７．１）などの種類がある。またこれらのアミノ酸は、ナトリウム塩の形態で添加しても良い。
【００２８】
水溶液に添加するアミノ酸の分子量と低減できるマンガン量、すなわちマンガンの酸化能力を図２に示す。図２では、アミノ酸の分子量が増加するにつれてマンガン低減量も高くなっている。
そして、６０ｍｇ／Ｌの濃度差のマンガンを除去するには、添加するアミノ酸の分子量として概ね９０程度以上が必要であることがわかる。分子量が７５のグリシンのように、分子量が９０未満となるようなアミノ酸を用いた場合はマンガン低減量は６０ｍｇ／Ｌ未満にしかならない。
【００２９】
分子量が１３３のアスパラギン酸を用いてアミノ酸添加量とマンガン低減量を比較すると、図３に示すように、マンガン濃度を６０ｍｇ／Ｌ以上低減するためには３ｍＭｏｌ／Ｌ以上のアミノ酸を添加する必要がある。
【００３０】
アミノ酸を過剰に添加すると、これら雑菌の栄養源にも寄与して雑菌の増殖を助けることになる。したがって目的とするマンガン酸化細菌の増殖が阻害されてしまうので好ましくない。
具体的には、マンガンが１．８ｍＭｏｌ／Ｌ（１００ｍｇ／Ｌ）の濃度で含まれた排水に対して、アミノ酸の添加量が概ね４ｍＭｏｌ／Ｌを超えると。過剰なアミノ酸によって雑菌の増殖が加速されてしまい、さらに次亜塩素酸ソーダを添加してマンガンを酸化してきた場合のコストに匹敵するためマンガン酸化細菌を用いるメリットがなくなる。そのため、図３に示すように、アミノ酸は３〜４ｍＭｏｌ／Ｌを添加することが好ましい。
【００３１】
つまり、マンガンのモル数に対して、アミノ酸を１．６倍以上２．２倍以下の範囲となる量で添加することがよい。
また、元液のマンガン濃度が異なる場合は、同じ倍数の範囲となるアミノ酸濃度を添加すればよい。具体的には、例えばマンガンが５０ｍｇ／Ｌ（０．９１ｍＭｏｌ／Ｌ）含有された排水に対しては、アミノ酸は１．４ｍＭｏｌ／Ｌ〜２ｍＭｏｌ／Ｌの範囲で添加する。
【００３２】
なお、更に分子量の大きいアミノ酸やさらにはタンパク質を加えてもよいと考えられるが、分子量が大きすぎるとマンガン酸化細菌が栄養素として取り込むのが困難になる傾向がある上に、これら分子量の大きなアミノ酸は一般に効果で、工業的な排水処理などの用途に用いるには、コストがかかりすぎるため現実的ではない。
【００３３】
（グルコース）
マンガン酸化細菌を含む培養液には、マンガン酸化細菌に細胞構成成分としての炭素源および活動するためのエネルギー源としてグルコース（分子量１８０）もしくは相当する炭化水素を添加することがよい。
【００３４】
図４に示すように、グルコースの添加量とマンガン低減量とは線形の関係にある。グルコース添加量が０．４ｍＭｏｌ／Ｌのときにマンガン低減量は約６０△Ｍｎ（ｍｇ／Ｌ）であり、グルコース添加量が１ｍＭｏｌ／Ｌのときにマンガン低減量は約７５△Ｍｎ（ｍｇ／Ｌ）である。
上記から明らかなように、グルコースは０．４ｍＭｏｌ／Ｌ以上の量を添加する必要がある。上記のアミノ酸の場合と同じように含有するマンガンのモル濃度に対しては、０．２倍となる。
グルコースの濃度が０．４ｍＭｏｌ／Ｌを下回るなど低すぎると、マンガン酸化細菌の活動が弱くなり、増殖に寄与しなくなり、その結果マンガン低減量は低下する。
【００３５】
一方、グルコース濃度が高すぎると、過剰のグルコースが雑菌の栄養源にもなって雑菌が必要以上に増殖し、その結果マンガン酸化細菌の増殖を阻害することになるため好ましくない。特にグルコースの添加量が１ｍＭｏｌ／Ｌを超えると、必要なコストは次亜塩素酸ソーダを用いて酸化する場合のコストを超えてしまう。このため添加量は１ｍＭｏｌ／Ｌ以下とすることが好ましい。マンガンのモル濃度に対しては、０．６倍となる。
つまりマンガンのモル濃度の０．２倍〜０．６倍のモル濃度となる量のグルコースを添加することが好ましい。
【００３６】
（予備工程）
マンガン濃度が６０ｍｇ／Ｌを超える高濃度の排水に対してマンガン酸化細菌を利用してマンガンを酸化することも可能である。しかし、処理に必要な多量のマンガン酸化細菌を培養して確保し、マンガン酸化細菌が処理するのに必要な反応時間を確保できる設備の大きさを勘案すると、予備工程として６０ｍｇ／Ｌの濃度までアルカリによってマンガン濃度を低減しておき、その次に本発明を適用してマンガン酸化細菌を用いてマンガン除去する方法が効率的である。
【実施例】
【００３７】
＜実施例１＞
フィリピン国パラワン島バタラザ,リオツバ（Ｒｉｏ  Ｔｕｂａ，Ｂａｔａｒａｚａ，Ｐａｌａｗａｎ  ５３０６，Ｐｈｉｌｉｐｐｉｎｅｓ）に所在するコーラルベイニッケルコーポレーション社（Ｃｏｒａｌ  Ｂａｙ  Ｎｉｃｋｅｌ  Ｃｏｒｐｏｒａｔｉｏｎ）のニッケル酸化鉱の湿式製錬プラントの排水処理設備の排水路配管から採取したマンガン酸化細菌を含むスラッジを水分込みで約１ｇ採取し、これを２５０ｍｌの純水中に懸濁させた。
【００３８】
次に、栄養素としてグルコースを１ｍＭｏｌ／Ｌ（マンガンの０．６倍）、およびアミノ酸として分子量が１３３．１のアスパラギン酸のナトリウム塩を４ｍＭｏｌ／Ｌ（同２．２倍）添加し、溶液を撹拌した。
【００３９】
次にこの溶液にマンガン濃度が１．８ｍＭｏｌ／Ｌ相当となる量に相当する硫酸マンガンを添加し、混合して始液とした。始液のマンガン濃度は１００ｍｇ／Ｌとなる。
【００４０】
この始液を温度３０℃に維持し、１４日間撹拌を継続した。
始液に含まれたマンガン濃度は、撹拌を開始してから１時間程度の初期時間で急激に１．８から１．４ｍＭｏｌ／Ｌ（７６ｍｇ／Ｌ）まで低下する初期状態を呈し、その後は１４日間かけて検出下限すなわち事実上０ｍＭｏｌ／Ｌまで低下した。
つまり１４日間でマンガン酸化細菌によりマンガンを１．４ｍＭｏｌ／Ｌだけ低減させることができた。
【００４１】
（実施例１に基づくマンガン酸化細菌の活動の評価）
上記実施例１の結果は添加したマンガン酸化細菌が増殖活動し、溶液中のマンガンを酸化除去したためと考えられる。
【００４２】
＜実施例２＞
アミノ酸としてアスパラギン酸の代わりに分子量が１４１のグルタミン酸のナトリウム塩４ｍＭｏｌ／Ｌを添加した以外は、実施例１と同じ条件で１４日間撹拌を実施した。この時のマンガン濃度の変化は初期期間で１．８から１．５ｍＭｏｌ／Ｌ（８４ｍｇ／Ｌ）まで低下し、その後１４日経過後は検出下限、すなわち事実上０ｍＭｏｌ／Ｌとなった。
【００４３】
＜比較例１＞
アミノ酸としてアスパラギン酸の代わりに分子量が７５のグリシン４ｍＭｏｌ／Ｌを添加した以外は、実施例１と同じ条件で１４日間撹拌を実施した。この時のマンガン濃度の変化は初期状態で１．８から１．３ｍＭｏｌ／Ｌに低下し、その後１４日経過後には０．２ｍＭｏｌ／Ｌとなった。この時の変化量は１．１ｍＭｏｌ／Ｌ（６０ｍｇ／Ｌ）だった。
【００４４】
（実施例１、２と比較例１に基づくアミノ酸分子量の評価）
実施例１、２と比較例１の対比から、分子量が大きすぎるアミノ酸は製造が難しいことや経済的に妥当でなく、アミノ酸としては分子量が概ね９０以上のアラニンやグルタミン酸ナトリウムなどを用いるのが望ましいことがわかる。
【００４５】
＜比較例２＞
アミノ酸としてアスパラギン酸を１ｍＭｏｌ／Ｌとなる量を添加した以外は実施例１と同じ条件で１４日間撹拌実施した。この時のマンガン濃度は初期状態で１．８から１．４ｍＭｏｌ／Ｌに低下し、その後１４日経過後には０．９ｍＭｏｌ／Ｌとなった。０．５ｍＭｏｌ／Ｌ（２７ｍｇ／Ｌ）しかマンガン濃度は低下せず、マンガン酸化細菌の活性化が不十分で濃度の下がり方は実施例１と比較すると鈍くなった。
【００４６】
（実施例１と比較例２に基づくアミノ酸添加量の評価）
図３に示したアミノ酸添加量の関係から、マンガン低減量（ΔＭｎ）を６０ｍｇ／Ｌ以上確保するには、アミノ酸は概ね３ｍＭｏｌ／Ｌ以上の量を添加することが望ましいことがわかる。
マンガンの初期の濃度１．８ｍＭｏｌ／Ｌと比較すると、マンガン濃度に対して１．６倍以上のモル濃度量の添加が望ましいこととなる。
【００４７】
＜比較例３＞
栄養素としてグルコースを全く添加しなかったこと以外は実施例１と同じ条件で  １４日間撹拌を継続した。この時のマンガン濃度の変化は初期状態で１．８から１．４ｍＭｏｌ／Ｌまで低下し、その後１４日経過後には０．４ｍＭｏｌ／Ｌとなった。この時の変化量は０．９ｍＭｏｌ／Ｌ（濃度５２ｍｇ／Ｌ）だった。
【００４８】
（実施例１と比較例３に基づくグルコース添加の評価）
比較例３を実施例１と対比すると、マンガン濃度の低下は認められるが、マンガン酸化細菌の活性化が不十分で、マンガン濃度の下がり方は実施例１と比較すると鈍く、グルコースを添加することの有効性が確認された。
【００４９】
（まとめ）
図４に示したグルコースの添加量の関係から、マンガン低減量（ΔＭｎ）を６０ｍｇ／Ｌ以上とするためには、グルコースを概ね０．４ｍＭｏｌ／Ｌ程度添加することが必要となる。しかし過剰に添加しても前述のように雑菌の繁殖によってマンガン酸化細菌の活性化が鈍化するなど逆効果であり、上限は１ｍＭｏｌ／Ｌとすることが好ましい。
マンガン濃度は１．８ｍＭｏｌ／Ｌから低減していくので、グルコースはマンガンの０．２倍当量以上、０．６倍当量以下の量を添加することが効果的となる。
【産業上の利用可能性】
【００５０】
本発明のマンガン除去方法はあらゆる排水からマンガンを除去することに適用できるが、ニッケル酸化鉱石の湿式製錬プロセスにおける排水のような大量の排水中からのマンガンの除去に好適である。
【図１】
2018086643.tif 000003
【図２】
2018086643.tif 000004
【図３】
2018086643.tif 000005
【図４】
2018086643.tif 000006